(57)【要約】  本発明は、第１と第２のケース半体を有する、ブリスターパックを収容するためのケースに関する。半体は、互いにリンク結合されている。第１のケース半体は、ブリスターパックを収容するポケットとして形成されており、外側部分と内側の見える部分および見える部分内の第１の切欠きと外側部分内の第２の切欠きを有している。第１の切欠きは、第２の切欠きと少なくとも部分的に、特に少なくとも、ブリスターパックをポケットへ挿入した後に容器が位置する箇所において、整合する。第２のケース半体は曜日を表示する第１の表示手段を収容するための第１の区画と、第１の区画の領域内に、第２のケース半体の内側の見える部分内に曜日を表示するための第１の窓を有している。第１の窓は、ポケット内に収容された薬剤パックの容器の縦列と整合するように、配置されている。【選択図】図１
2009507724.tif 000002
【特許請求の範囲】
【請求項１】
縦列に配置された、固体の薬剤ポーション用の容器を有する薬剤パックを収容するためのケースであって、互いにリンク結合された第１と第２のケース半体を有し、
ａ）第１のケース半体が、
ｉ．薬剤パックを収容するためのポケットとして形成されており、かつ
ii．外側部分と内側の見える部分および見える部分内の第１の切欠きと外側部分内の第２の切欠きを有しており、第１の切欠きが第２の切欠きと少なくとも部分的に、特に、薬剤パックをポケット内へ収容した後に容器が位置する場所において、整合し、かつ
ｂ）第２のケース半体が、
ｉ．曜日を表示する第１の表示手段を収容するための第１の区画を有し、かつ、
ii．第１の区画の領域内で、第２のケース半体の内側の見える面に曜日を表示するための第１の窓を有し、第１の窓が、ポケット内に収容された薬剤パックの容器の縦列に対応づけられるように、配置されている、前記ケース。
【請求項２】
第２のケース半体が、さらに、
ｃ）薬剤服用中断を表示するために、曜日ペアを表示する第２の表示手段を収容するための第２の区画と、第２の区画の領域内で曜日ペアを表示するための少なくとも１つの第２の窓を有していることを特徴とする請求項１に記載のケース。
【請求項３】
薬剤パックが、ポケット内にずれないように係止可能であることを特徴とする請求項１と２のいずれか１項に記載のケース。
【請求項４】
第１および／または第２の切欠きが、長孔であることを特徴とする請求項１から３のいずれか１項に記載のケース。
【請求項５】
長孔が、容器の縦列に沿って延びていることを特徴とする請求項４に記載のケース。
【請求項６】
容器が、隆起したドームであって、それらドームが、薬剤をポケット内に収容した後に長孔内へ突出し、あるいは長孔を通って突出し、かつ
長孔が、容器の縦列と正確に同じ長さであることを特徴とする請求項４と５のいずれか１項に記載のケース。
【請求項７】
ポケットが、薬剤パックを差し込むように形成されており、かつ差込み開口部を有していることを特徴とする請求項１から６のいずれか１項に記載のケース。
【請求項８】
差込み開口部が、第１と第２のケース半体の間のリンク継手へ向かって開放していることを特徴とする請求項７に記載のケース。
【請求項９】
第１の区画が、第１の表示手段を差し込むように形成されており、かつスリットを有していることを特徴とする請求項１から８のいずれか１項に記載のケース。
【請求項１０】
スリットが、第１と第２のケース半体の間のリンク継手へ向かって開放していることを特徴とする請求項９に記載のケース。
【請求項１１】
第２のケース半体の内側の見える面に、少なくとも１つの第２の窓が設けられていることを特徴とする請求項１から１０のいずれか１項に記載のケース。
【請求項１２】
２つの第２の窓が設けられており、それらの中にそれぞれ曜日ペアの曜日が見えることを特徴とする請求項１から１１のいずれか１項に記載のケース。
【請求項１３】
第２の区画が、第２の表示手段を差し込むように形成されており、かつ導入開口部を有していることを特徴とする請求項１から１２のいずれか１項に記載のケース。
【請求項１４】
導入開口部が、第２のケース半体の外端縁へ向かって開放していることを特徴とする請求項１３に記載のケース。
【請求項１５】
導入開口部が、つまみ切欠きを有していることを特徴とする請求項１３と１４のいずれか１項に記載のケース。
【請求項１６】
第１と第２の表示手段の少なくとも１つが、細片の形式で形成されていることを特徴とする請求項２−１５のいずれか１項に記載のケース。
【請求項１７】
細片が、折り目によってフィールドに分割されており、前記フィールド上にそれぞれ曜日ないし曜日ペアが表示されることを特徴とする請求項１から１６のいずれか１項に記載のケース。
【請求項１８】
第１の表示手段が、長手端縁の１つに、つまみを有していることを特徴とする請求項１７に記載のケース。
【請求項１９】
薬剤パックが、２４の容器を有していることを特徴とする請求項１から１８のいずれか１項に記載のケース。
【請求項２０】
ケースが、薬剤パックを有していることを特徴とする請求項１から１９のいずれか１項に記載のケース。
【請求項２１】
避妊またはホルモン補充療法用の薬剤を有する薬剤パックを収容するための、請求項１−２１のいずれか１項に記載のケースの使用。
【発明の詳細な説明】
【技術分野】
【０００１】
本発明は、縦列に配置された、固体の薬剤ポーションを有する薬剤パック用の容器を収容するため、特に避妊またはホルモン補充療法用の薬剤のパックを収容するための、容器に関する。
【背景技術】
【０００２】
固体形状の薬剤は、通常、ピル、糖衣錠、カプセル、タブレットの形状および他の固体の投与形状で調合される。この種の薬剤が、容器内でばらばらにならないように形成して提供される場合には、それらを、いわゆるブリスターパック（ＰＴＰ：push-throu-pack）にまとめることもできる。ブリスターパックは、一般に、薬剤ポーションのための収容凹部を有する、大体において透明なプラスチックカバーとこのカバーに溶接されたアルミニウム箔とからなる。使用するためには、薬剤ポーションをアルミニウム箔を通して収容凹部から押し出すことによって取り出すことができ、アルミニウム箔はその際に引き裂かれる。従って、個々の収容凹部から形成される容器は、溶接の時点から使用までポーションを気密に密閉するので、薬剤は機械的および化学的侵害から保護されている。容器は、ブリスターパック内で、通常縦と横の列で配置されている。従って完全に適用する場合には、個々の薬剤ポーションを取り出すための順序、すなわち左上から行単位に右下への取出しが生じる。
【０００３】
ブリスターパックが薬剤ポーションの封入溶接によって機械的および化学的影響から十分に保護されている場合でも、それでも日々の使用において、たとえば不注意な保管によって容器が損傷された場合には、薬剤が容易に損なわれることがあり得る。さらに、ブリスターパックを第三者によって薬剤のための保管ケースと認識されないことが、望まれることが多い。この理由から、上述した問題を解決する試みが多くなされている。
【０００４】
通常、そのために、ブリスターパック用のディスペンサーが使用され、そのディスペンサーはブリスターパックを侵害から保護し、かつ外側へ向かっては、その中に薬剤が保管されていることを目立たないように隠す。この種のディスペンサーは、たとえば、特許文献１、特許文献２、特許文献３、特許文献４および特許文献５に記載されている。それらはそれぞれ、ブリスターパックを挿入することができる、筒または折畳みカバーないし折畳みケースである。
【０００５】
ブリスターパックのための他のディスペンサーが、特許文献６に示されている。このブリスターパック用ディスペンサーは、第１と第２のプレート状の部材を備えたハウジングボディを有しており、それらの部材の間にブリスターパックを収容する。第１の部材が長孔を有しており、パックの収容室がその長孔を通り抜け、かつその長孔から再び外側へ突出する。それによってブリスターパックが、２つの部材の間で滑り移動することができる。第２の部材は、排出部分を有しており、その排出部分は長孔に対向し、かつブリスターパックの収容室が所定の位置へ移動された場合に、そのブリスターパックの収容室の位置に対応する。それによってディスペンサー内にパックが子供に関して安全に配置される。というのは、タブレットは、ディスペンサー内でブリスターパックが所定の位置に達した場合にのみ、取り出すことができるからである。
【０００６】
しかし、ブリスターパック内に個々の収容凹部を、個々の薬剤ポーションを思慮深く服用した場合に秩序正しい投与をもたらすことになる、縦と横の列に配置するにもかかわらず、正しい服用秩序はしばしば容易には守られないことが、明らかにされている。
【０００７】
第１の原因として、ポーションが規定に従って取り出されないことが、認識された。薬剤梱包内には、常に使用指示もなければならない。しかし、ブリスターパックが単独で使用される場合には、もはや指示は提供されない。この問題を解決するために、特許文献７においては、ブリスターパック用のハウジングが提案され、そのハウジング内にブリスターパック自体と使用指示を同時に容易に収容することができる。
【０００８】
第２の原因として、利用者がかなりの場合において服用に十分集中しないために、薬剤ポーションを所定の服用時点ですでに摂取したか否かがわからないことが、認識された。従って、所定の期間に倍の容量が服用されるか、あるいはそもそも薬剤が服用されない危険がある。従って、多くの場合において治療が著しく危険にさらされる。
【０００９】
この問題を解決するために、たとえば特許文献８において、ブリスターパック用のホルダを設けることが提案され、そのホルダは３つの領域を有しており、そのうちの第１の領域が服用規定を内容としている。マトリクス状に配置された開口部を有する第１と第２の領域は、それらの間にブリスターパックを収容するために用いられる。第２と第３の領域の少なくとも１つの上に、服用するための日付データと時刻が個々の開口部に対応づけて設けられている。
【００１０】
特許文献９には、さらに、ここでは避妊薬を収容するための、ブリスターパックが記載されており、そのブリスターパックには曜日の記載が設けられている。
【００１１】
この問題の他の解決が、特許文献１０に記載されている。そこで選択されている解決は、フラットな表面と複数の貫通した開口部とを備えた支持面と、支持面にリンク結合されたカバーとを有するディスペンサーを有している。支持面内の開口部は、ブリスターパック内のタブレットの選択されたフィールドに対応するように、配置されている。カバーは、さらに、ブリスターパック上のタブレット化された面よりも大きい面を有する端縁部分と、開放した窓部分とを有しており、窓部分はブリスターパックの所定の面よりも小さい面を有しているが、その面はタブレット化された面よりも大きい。それによってブリスターパックは、支持面とカバーとの間に配置され、かつ窓を通してタブレットが押された場合に、タブレットは支持面の開口部を通して押し出される。容器は、日付カレンダーを有しており、その日付カレンダーは、選択された開始日をタブレットのフィールド内の第１のタブレット上に位置決めするために、タブレットのフィールドへ向けることができる。カバーは、開放した窓の近傍に、さらに指示部材を有しており、その指示部材は容器内にブリスターパックを位置決めした後に最初に服用すべきタブレットを表示する。日付カレンダーを位置決めするために、プレート内に切欠きが配置されており、その切欠き内に日付表示を有するバーが、好ましくは連続したループで、配置されている。日付表示は、カバーの端縁部分内のスリットを通して見ることができ、かつブリスターパック内の個々のタブレットに対応づけることができる。さらに、この文献には、他の実施形態が記載されており、それにおいては円筒状の７日カレンダーを有する円筒状のカレンダー容器が設けられている。各日付カレンダーは、新しい日に始まり、選択的に窓へ向けることができる。タブレットは、たとえば避妊またはホルモン治療に用いられる。
【００１２】
同様な解決が、特許文献１１にも記載されている：経口避妊用タブレットを内容とする、ブリスターパックが、カバーと底とを有するタブレットパックに収容される。底は、開口部の形式の７つの平行な列のタブレット場所を有している。各列の上方の端部に窓があって、その窓を通して、曜日を示す上書きが見える。上書きは、円筒上に巻き付けたシート上に印刷されており、曜日が円筒に沿って軸方向に延びている。
【００１３】
日付表示のための、他の同様な解決が、特許文献１２にも記載されている：そこに記載されている容器は、たとえば経口避妊のためのタブレットのブリスターパックおよびそれと一体的に結合された、ブリスターパック内の薬剤室内のタブレット室の列に対して平行に延びる、円筒状のチャンバ、チャンバ内の、室へ向けられた複数の開口部おおび長く延びる表示パイプを有しており、その表示パイプはチャンバ内に回転可能に配置されて、曜日記載を有しており、その曜日記載はパイプの軸に沿って延びて、チャンバ内の開口部と重なり合う。さらに、ブリスターパック上に表示マークが設けられており、その表示マークが開口部へ向けられている。この表示によって、５日間のタブレット服用中断の開始を調節し、その後中断後の新たな服用の第１日とそれに続く２１日の服用周期の他の日々を表示して読み取ることができる。
【００１４】
上述したブリスターパック用ディスペンサーの幾つかは、たとえば服用の時点（日付、時間）に関する適切な指示を、所定の薬剤ポーションに対応づけて与えることによって、薬剤を服用する場合に必要な安全性に関する記載の要請を満たす。しかし、これらのディスペンサーは、特に薬剤の確実な服用が保証されなければならない場合に、極めて面倒である：幾つかの場合においては、ブリスターパックのために複雑なディスペンサーが使用される。他の場合においては、表示手段が複雑である：特許文献８の場合には、容易に形成できると思われるディスペンサーが記載されている。しかし、これは、ディスペンサー用の曜日の上書きによって、柔軟ではない。原則的に同じことが、特許文献９に記載の解決にも当てはまる。
【００１５】
【特許文献１】ドイツ特許４４２９５０３Ｃ
【特許文献２】特開２００２−０２８２２２
【特許文献３】特開２００２−２５５２５６、
【特許文献４】特開２００３−０００６７６
【特許文献５】特開２００３−０１２０３２
【特許文献６】米国特許公開２００４／０１８８３１５
【特許文献７】特開２００３−２２６３６０
【特許文献８】特開２００１−０７０４０４（ＷＯ０１／００１３５Ａ１）
【特許文献９】ドイツ特許公開３９０５８５１Ａ
【特許文献１０】ドイツ特許公開６９２２０８４２Ｔ
【特許文献１１】ドイツ特許公開１９０９９３２Ａ
【特許文献１２】米国特許３５３０８１８
【発明の開示】
【発明が解決しようとする課題】
【００１６】
従って本発明の課題は、ブリスターパックを保管するのに適しており、必要な機械的安定性とそれに伴って日常の有用性を有し、与えられた薬剤ポーションが使用指示によって定められたリズムで確実に服用されることを保証し、さらに極めて容易かつ簡単に、従って安価に形成することができる、ケースを提供することである。
【課題を解決するための手段】
【００１７】
この課題は、特許請求項１に記載のケースと、特許請求項２１に記載のその使用によって解決される。本発明の好ましい形態が、下位請求項に記載されている。
【００１８】
本発明に基づくケースは、固体の形状、たとえばピル、糖衣錠、カプセル、タブレットの形状および他の固体の投与形状の、薬剤用ブリスターパックを収容するために用いられる。ブリスターパックと称されるのは、通常、縦と横の列のマトリクスに配置された、固体の薬剤ポーション用容器を有する、固体の薬剤用パックであって、典型的にこれらの容器の各々が薬剤ポーションを有している。パックは、少なくとも２つの構成部分から、すなわち、個々の薬剤ポーション用の収容凹部を有する、上方の、大体において透明の、深絞りされたプラスチック箔からなる部分と、大体においてアルミニウム箔からなる、下方の部分とから、継ぎ合わされている。薬剤ポーションは、２つの部分を継ぎ合せた後に、容器を形成する収容凹部内に位置し、アルミニウム箔へ押しつけることによって、アルミニウム箔を通して押し出すことができ、アルミニウム箔が裂ける。両側には、メーカーと薬剤の記載および適用指示のような、適切な上書きを設けることができる。適用指示の上書きの例が、特許文献９に記載されている。ブリスターパックによって包囲された薬剤ポーションは、好ましくは避妊またはホルモン補充治療のために用いられる。
【００１９】
本発明に基づくケースは、第１と第２のケース半体を有しており、それらが互いにリンク結合されている。
【００２０】
第１のケース半体は、ブリスターパックを収容するためのポケットとして形成されており、外側部分と内側の見える部分および見える部分内の第１の切欠きと外側部分内の第２の切欠きとを有している。第１の切欠きは、第２の切欠きと少なくとも部分的に、特に少なくともブリスターパックをポケット内に収容した後に容器が位置する場所において、整合する。
【００２１】
第２のケース半体は、曜日を表示する第１の表示手段を収容するための第１の区画と、第１の区画の領域内で、第２のケース半体の内側の見える面内に曜日を表示するための第１の窓を有している。第１の窓は、ポケット内に収容されたブリスターパックの容器の縦列に対応づけられるように、配置されている。
【００２２】
ケースを選択的に形成することによって、ブリスターパックを、表示された曜日をブリスターパック上の容器の縦列に一義的に対応づけることが可能であるように、収容することができる。表示手段が交換可能かつ可変に適切な区画内に収容されることによって、ブリスターパックを場合に関する服用指示と共に使用することができ、すなわち最初に服用すべき薬剤ポーションに付属の時間表示を設けることができるので、その隣りにあるポーションは自動的に次の服用時点に対応づけられる。
【００２３】
同時に、ケースの構造が考えられる限り簡単であるので、ケースを安価に形成することができる：たとえば、ケースを厚紙またはプラスチックから形成することができる。必要なことは、ブリスターパックを収容するためのそれなりのポケットと、第１の表示手段を収容するための第１の区画を設けることだけである。ケースが、たとえば厚紙から形成される場合に、ケースは個々の構成部分を簡単に打ち抜き、折り畳み、かつ接着することによって適切な形状で得られる。これは、極めて安価な方法で機械化して行うことが可能である。簡単で、従って安価に形成できるにもかかわらず、本発明に基づくケースは、要請される機能性を確実な方法で満たしている。
【００２４】
本発明の好ましい実施形態において、第２のケース半体は、さらに、第２の区画と、第２の区画の領域内の少なくとも１つの第２の窓を有している。第２の区画は、たとえば薬剤服用中断を表示するための、曜日ペアを表示する第２の表示手段を収容するために用いられる。少なくとも１つの第２の窓は、この曜日ペアを表示するために用いられる。曜日ペアは、一方は、最後の服用期間の最後の薬剤ポーションが服用された曜日を示し、他方は、次の服用期間の最初の薬剤ポーションを服用すべき曜日を示す。
【００２５】
ブリスターパック内に設けられた薬剤が、たとえば避妊のために使用される場合に、薬剤ポーションは服用期間の間連続的に、たとえば２４時間リズムで服用されなければならない。典型的に２１日後に、薬剤服用が中断される。それに、服用なしの（中断）期間が続く。第２の表示手段は、次の服用期間において第１の薬剤ポーションが正しい時期に再び摂取されることを保証するために、服用なしの期間の最後を表示するために、用いられる。たとえば、服用なしの期間は、７日であると考えられる。第２の表示手段は、曜日ペアを、従って上述した場合において、服用なしの期間の前の服用期間における最後の服用の曜日と、その曜日の７日後の曜日を示す。従って、曜日ペアの第１の曜日として、最後の服用の曜日が調節される場合に、自動的に曜日ペアの第２の曜日として、次の服用期間の第１の服用の曜日が表示される。それによって、服用中断後に、確実な新しい服用が保証される。上述した２１服用日と７中断日の期間の代わりに、避妊用の所定の薬剤においては、他の期間、たとえば、少なくとも２４日かつ最大で１２０日続く服用期間と、この場合にたとえば４日続く中断期間を設けることもできる。
【００２６】
服用期間の期間とそれに連続する服用なしの期間の期間を加算して得られる全期間が、７日リズムの数倍に相当しない場合に、次の服用期間は、最後の服用期間とは異なる曜日に始まる。この理由から、第１の表示手段は、次の服用期間の開始時に、第１の表示される曜日が、次の服用期間の第１の服用日を示す、第２の表示手段の表示される曜日ペアの曜日に相当するように、入れ替えなければならない。それに対して全期間が７で割ることのできる数の日を有している場合には、次の服用期間の最初の服用日の曜日は、最後の服用期間の最初の服用日と等しい。この場合においては、第１の表示手段は、入れ替えなしでそのまま使用することができる。
【００２７】
本発明の展開において、最初の区画は、第１の表示手段を差し込むように形成されており、スリットを有している。代替的に、第１の区画は、開くことができて、開いた状態で第１の表示手段を収容することができる。もちろん、表示手段を区画内へ差し込む構造も、極めて簡単に実現できる：そのためには、適切な材料の２つの層が必要になるだけであって、それらの層が区画を形成しながら端縁側で互いに取り外しできないように結合され、一方の側だけにスリットを有しており、そのスリットを通して表示手段を区画内へ差し込むことができる。
【００２８】
さらに、スリットは、第１と第２のケース半体の間のリンク継手へ向かって開放していることが可能である。これが、第１の表示手段のための第１の窓をブリスターパックに対してわずかな距離で配置することを可能にし、表示手段を、たとえば反対側の端縁から、区画内へ深く挿入する必要はない。後者の場合には、交換と曜日の新たな調整が困難になるため、操作に問題が生じる。窓とブリスターパックとの間の適切な距離によって、窓をそれぞれの縦列に迅速かつ確実に対応づけることが可能である。さらに、表示手段が簡単にはケースから滑り落ちて失われることがないことが、保証される。すなわち、表示手段が区画内に十分にしっかりと保持されない場合でも、スリットのこの配置においては、表示手段は区画から抜け落ちることはない。
【００２９】
本発明の他の実施形態において、第２のケース半体の内側の見える面内に少なくとも１つの第２の窓が設けられている。すでに、第２のケース半体の内側の見える面に第１の表示手段のための第１の窓が配置されているので、それによってケースを開くことによって簡単に服用状況の一覧が可能となる。第２の窓が、第２のケース半体の外側に配置された場合には、両側にオリエンテーリングが必要になってしまう。
【００３０】
本発明のさらに他の実施形態において、第２の窓が２つ設けられており、その中にそれぞれ、曜日ペアの曜日の１つが見える。これらの窓は、互いに対して適切な距離で設けられている。すべての曜日が第２の表示手段上に示されており、かつそれぞれ曜日ペアが２つの第２の窓に対応づけられる場合には、２つの第２の窓を互いに対して然るべく距離をおいて配置する場合に、自動的に調節された曜日ペアが現れる。この実施形態によって、曜日ペアを表示するために、そうでない場合には第１の表示手段としても使用される、曜日細片が使用される可能性が拓かれる。従って異なる第１と第２の表示手段が必要なくなる：すなわち、この実施形態においては、第２の窓が所望の日間隔で、たとえば５日間隔で、内側の見える面内に設けられることによって、所望の曜日ペアが自動的に表示される。代替的に、曜日ペアを１つの表示手段上に対で重ねて、あるいは並べて示すことも、もちろんできるので、はペアは唯一の窓内に、あるいは２つの直接隣接する、たとえば並べて、あるいは重ねて配置された窓内に現れる。
【００３１】
服用のない期間が異なる長さ続くことがある場合については、この条件の元でも第２の窓内に曜日ペアを自動的に表示することができるようにするために、措置を講じなければならない。そのために、たとえば、表示される曜日の異なる間隔を有する第２の表示手段としての細片を使用することができるので、２つの互いに隔てられた第２の窓内にそれぞれ異なる日間隔が表示される。曜日ペアを直接並べて、あるいは重ねて表示する、第２の表示手段が設けられる場合に、異なる表示手段上に曜日ペアが示され、それらがそれぞれ服用なしの期間の所定の長さを表示することができる。
【００３２】
第１の区画が第１の表示手段を差し込むように形成することができるのと同様に、第２の区画も第２の表示手段を差し込むように形成することができるので、簡単な形成が可能である。開いてあける実施形態に比較しての利点は、第１の窓に関してすでに説明されている。第２の区画は、第２の表示手段のための導入開口部を有している。導入開口部は、特に、第２のケース半体の外端縁へ向かって開放することができる。それによって表示手段を挿入し、ないしは取り出すためにこの区画に簡単に接近することが保証される。取り扱いをさらに簡単にするために、導入開口部は、さらに、つまみ切欠きを有している。
【００３３】
第１と第２の表示手段は、好ましくは細片の形状で、すなわち曜日細片ないし曜日ペアのための指示細片の形状で、形成することができる。それによって、簡単に形成できることが保証される。細片は、たとえば、紙、厚紙、プラスチックまたは金属から、かつ紙、厚紙、プラスチック、金属の材料の互いに対する、あるいは他の材料との複合（充填された、たとえば、強化用に用いられる強化材料、特に繊維を充填された）材料またはこれらの材料の積層からなることができる。
【００３４】
適用を本質的に簡単にすることは、細片に折り目を形成することによって達成されるので、細片がフィールドに分割され、そのフィールド上にそれぞれ曜日ないし曜日ペアが表示される。それによって、細片をそれぞれ必要に応じて所望の曜日に調節することができる。第１の表示手段として使用される細片は、たとえば日（日曜日）から始まって月、火、水、木、金、土、日、月、火、水、木から金にわたる、１３日を有することができるので、折り目で折り畳むことによって、任意の曜日から始まる、週のすべての考えられる曜日シリーズを形成することができる。このように折り畳んだ曜日細片は、第１の区画内へ差し込むことができ、かつ選択された第１の曜日から始まる、服用日を表示する。第２の表示手段として選択された指示細片は、上述した曜日細片と同様に形成することができ、曜日ペアを形成する際に、どの中断期間を表示すべきか、が考慮されなければならない。
【００３５】
第１の表示手段をより簡単に取り扱うために、この表示手段は長手端縁の１つにつまみを有することができる。それによってたとえば、細片をより簡単に第１の区画内へ挿入し、かつ第１の区画から再び取り出すことができる。
【００３６】
ブリスターパックは、第１のケース半体内のポケットによって収容される。第１および第２の区画と同様に、ポケットも、ブリスターパックをポケット内へ差し込むことができるように、形成することができる。そのために、ポケットは導入開口部を有している。ポケットの導入開口部は、第１の区画と同様に、第１と第２のケース半体の間のリンク継手へ向かって開放することができる。これらの実施形態から得られる利点は、挿入区画の場合と同様である。
【００３７】
ポケットは、好ましくは、それによって収容されるパックが、ポケット内でずれないように係止されるように、形成されている。これが、取り扱い性を著しく容易にする。特にそれによって、ブリスターパックがポケット内で滑り移動し、それによって第１の窓内に表示される曜日とブリスターパックの容器との間の対応づけが失われることが、防止される。これも服用の確実性を、著しく損なうものである。
【００３８】
さらに、ケースが、使用するブリスターパックを何回も交換した後に使用される場合でも、ケースの十分な安定性を得るために、第１および／または第２の切欠きを長孔とすることができる。ケースとそれに伴ってポケットが、比較的安定した材料から、たとえば厚いボール紙またはしっかりとしたプラスチックから形成されており、かつ切欠きの円直径が、ブリスターパックの容器がやっとその中へ突出できるくらい小さい場合には、同時にポケットが、ブリスターパックがそこでできるだけずれないように狭く設計されていると、ブリスターパックの挿入が困難になる。このような場合において、ブリスターパック自体をある程度簡単にポケット内へ差し込むことができるようにするために、少なくとも、内側の見える部分内の切欠きを、長孔として形成することができ、その長孔を通してブリスターパックの容器が突出する。それによってブリスターパックはポケットへ挿入する際に、いわば案内される。というのは、容器が長孔内へ滑り込むからである。そのために、長孔は、好ましくは容器の縦列に沿って延びている。
【００３９】
ブリスターパックを、ポケット内へ挿入する際にさらに、ずれないように係止するために、容器は好ましくは隆起したドームであり、そのドームが、ブリスターパックをポケット内へ収容した後に長孔内へ突出し、あるいは長孔を通して突出し、かつ長孔はブリスターパック上の容器の縦列と正確に同じ長さである。パックの挿入後に、すべての容器は長孔内へ突出する。長孔および容器の縦列の長さが等しいことにより、あそびは生じないので、パックがポケット内にずれずに固定される。
【００４０】
ケースは、任意の材料から、たとえば紙、厚紙、プラスチックまたは金属から、かつ紙、厚紙、プラスチック、金属の互いに対する、あるいは他の材料との複合材料から、あるいはまたこれらの材料の積層からなることができる。
【００４１】
ケースを保護し、かつ好ましく、場合によっては目立たぬように形成するために、ケースをさらに、上述した材料のいずれかからなることができる、外箱へ挿入することができる。
【発明を実施するための最良の形態】
【００４２】
図を用いて、本発明を詳細に説明する。
【００４３】
すべての図において、同一の参照符号は、同一の特徴を示している。
【００４４】
図１には、第１のケース半体２と第２のケース半体３を有する、本発明に基づくケース１が示されている。第１と第２のケース半体は、リンク継手１０を介して互いにリンク結合されている。
【００４５】
第１のケース半体２は、内側の見える部分４と外側部分５によって形成されている。両方の部分は、たとえば端縁側の接着によって互いに結合されている。リンク継手１０へ向かって、内側の見える部分４と外側部分との間に差込み開口部６が開放しており、かつブリスターパック用ポケットへの入口を形成している。パックは、タブレットまたは他の固体の投与形状の薬剤を有する、隆起した容器６０を有している。ブリスターパックは、差込み開口部を介して、内側の見える部分と外側部分との間の、ポケットを形成する間隙内へ挿入することができる。ブリスターパックの容器が、内側の見える部分内に形成された長孔７内へ滑り込む。長孔は、内側の見える部分内に、ブリスターパック上の容器を収容する縦列６１ａ、６１ｂ、６１ｃ、６１ｄ、６１ｅ、６１ｆ、６１ｇに応じて、格子寸法で形成されているので、すべての容器がこれらの孔内へ正確な嵌め合いで嵌りこむことができる。ブリスターパックは、７つの曜日に相当する、７本の縦列を有している。ブリスターパックは２４の容器を有しているので、縦列６１ａ、６１ｂ、６１ｃに相当する、７本の長孔の３つには、それぞれ４つの容器が設けられており、縦列６１ｄ、６１ｅ、６１ｆ、６１ｇに相当する４つの縦列内には、それぞれ３つの容器が設けられている。長孔の長さは、それに応じて適合されている。外側部分内に、さらに、ブリスターパックの容器が位置決めされている箇所に、孔（図示せず）が形成されている。従って容器内にあるタブレットを、容器を押すことによって、容器の下を閉鎖している下方のアルミニウム箔を通して、この下方の孔から押し出すことができる。
【００４６】
第２のケース半体３は、第１のケース半体２と同様に、２つの部分から形成されている。第１の部分は、内側の見える面１１を形成する。第２の部分は、外側面（図示せず）を形成している。２つの部分は、たとえば接着によって、互いに取り外しできないように結合されている。第１の部分と第２の部分の間に、第１の区画１３と第２の区画１４が形成されている。第１の区画は、リンク継手１０へ向かって開放したスリット１５を通して接近することができる。このスリットを通して、週細片を挿入することができる。取り扱いやすくするために、この週細片はつまみ１０５を有している。週細片上で、曜日１０１ａ、１０１ｂ、１０１ｃ、１０１ｄ、１０１ｅ、１０１ｆ、１０１ｇが、第１の窓１６を通して表示される。第１の窓は、縦列６１ａ、６１ｂ、６１ｃ、６１ｄ、６１ｅ、６１ｆ、６１ｇに対応づけられている。さらに、内側の見える面には、第２の窓１７が形成されており、それを通して表示された曜日ペア２１０ａ、２１０ｂが認識される。この曜日ペアは、導入開口部１８を介して第２の区画内へ挿入することができる、指示細片２００上に設けられている。
【００４７】
図２には、週細片１００が示されている。この上には、曜日１０１ａ、１０１ｂ、１０１ｃ、１０１ｄ、１０１ｅ、１０１ｆ、１０１ｇが表示されている。服用のいらない時期の終了後の最初の服用日が、土曜日である場合に、細片の、「土」の名称を有するフィールドの左にある部分が、後方へ折り曲げられる。細片の、「金」の名称を有するフィールドの右にある部分が、同様に処理される。
【００４８】
このように前処理した週細片１００は、図３に示すように、スリット１５を通して第２のケース半体３の第２の区画へ挿入することができる。
【００４９】
指示細片２００は、図４に示すように、左から導入開口部１８を介して第２の区画内へ挿入することができる。この細片を第２の窓１７の後方の正しい位置に位置決めするため、すなわち正しい曜日ペアが２つの窓内に現れるようにするために、指示細片には折り目２０１が設けられており、その折り目は、図示するように、細片を正しい箇所で後方へ折り曲げるために用いられる。指示細片が、ケース半体の外側端縁と左の同一面で終わるような距離だけ挿入されることによって、所望の曜日ペアが窓内に現れる。第２の窓内に現れる曜日ペアは、然るべき調節に応じて第１のフィールド内に最後の服用日を、そして自動的に第２のフィールド内に次の服用時期の最初の服用日を示す。
【図面の簡単な説明】
【００５０】
【図１】図１は、曜日の表示と曜日ペアの表示とを有するケースを示す斜視図である。
【図２】図２は、曜日細片の準備を示している。
【図３】図３は、曜日細片を第１の区画へ挿入することを示している。
【図４】図４は、曜日ペアを表示する指示細片を挿入することを示している。
【図１】
2009507724.tif 000003
【図２】
2009507724.tif 000004
【図３】
2009507724.tif 000005
【図４】
2009507724.tif 000006
【手続補正書】
【提出日】平成19年6月6日(2007.6.6)
【手続補正１】
【補正対象書類名】特許請求の範囲
【補正対象項目名】全文
【補正方法】変更
【補正の内容】
【特許請求の範囲】
【請求項１】
縦列に配置された、固定の薬剤ポーション用の容器（６０）を有する薬剤パックを収容するためのケース（１）であって、互いにリンク結合された、第１（２）と第２のケース半体（３）を有しており、
ａ）第１のケース半体（２）が、
ｉ．薬剤パックを収容するためのポケットとして形成されており、かつ
ii．外側部分（５）と内側の見える部分（４）および見える部分内の第１の切欠きと外側部分内の第２の切欠きを有しており、第１の切欠きが第２の切欠きと少なくとも部分的に、特に少なくとも、ポケット内に薬剤パックを収容した後に容器（６０）が位置する箇所において、整合し、かつ
ｂ）第２のケース半体（３）が、
ｉ．曜日（１０１）を表示する第１の表示手段を収容するための第１の区画を有し、かつ
ii．第１の区画（１３）の領域内に、第２のケース半体（３）の内側の見える面内に曜日を表示するための第１の窓（１３）＊を有し、第１の窓（１６）は、ポケット内に収容された薬剤パックの容器の縦列（６１）に対応づけることができるように、配置されている、
前記ケースにおいて、
第２のケース半体が、さらに、
ｃ）薬剤服用中断を表示するために、曜日ペア（２１０ａ、２１０ｂ）を表示する第２の表示手段を収容するための第２の区画（１４）と、第２の区画（１４）の領域内に曜日ペアを表示するための少なくとも１つの第２の窓（１７）を有していることを特徴とするケース。
【請求項２】
薬剤パックが、ポケット内でずれないように係止可能であることを特徴とする請求項１に記載のケース。
【請求項３】
第１および／または第２の切欠きが、長孔であることを特徴とする請求項１と２のいずれか１項に記載のケース。
【請求項４】
長孔が、容器の縦列に沿って延びていることを特徴とする請求項３に記載のケース。
【請求項５】
容器が、隆起したドームであって、前記ドームは、薬剤パックをポケット内に収容した後に、長孔内へ突出し、あるいは長孔を通して突出し、かつ
長孔が、容器の縦列と正確におなじ長さであることを特徴とする請求項３と４のいずれか１項に記載のケース。
【請求項６】
ポケットが、薬剤パックを差し込むように形成されており、かつ差込み開口部を有していることを特徴とする請求項１から５のいずれか１項に記載のケース。
【請求項７】
差込み開口部が、第１と第２のケース半体の間のリンク継手へ向かって開放していることを特徴とする請求項６に記載のケース。
【請求項８】
第１の区画が、第１の表示手段を差し込むように形成されており、かつスリットを有していることを特徴とする請求項１から７のいずれか１項に記載のケース。
【請求項９】
スリットが、第１と第２のケース半体の間のリンク継手へ向かって開放していることを特徴とする請求項８に記載のケース。
【請求項１０】
第２のケース半体の内側の見える面に、少なくとも１つの第２の窓が設けられていることを特徴とする請求項１から９のいずれか１項に記載のケース。
【請求項１１】
２つの第２の窓が設けられており、その中にそれぞれ曜日ペアの曜日が見えることを特徴とする請求項１から１０のいずれか１項に記載のケース。
【請求項１２】
第２の区画が、第２の表示手段を差し込むように形成されており、かつ導入開口部を有していることを特徴とする請求項１から１１のいずれか１項に記載のケース。
【請求項１３】
導入開口部が、第２のケース半体の外端縁へ向かって開放していることを特徴とする請求項１２に記載のケース。
【請求項１４】
導入開口部が、つまみ切欠きを有していることを特徴とする請求項１２と１３のいずれか１項に記載のケース。
【請求項１５】
第１と第２の表示手段の少なくとも１つが、細片の形状で形成されていることを特徴とする請求項１−１４のいずれか１項に記載のケース。
【請求項１６】
細片が、折り目によってフィールドに分割されており、前記フィールド上にそれぞれ曜日ないし曜日ペアが表示されることを特徴とする請求項１５に記載のケース。
【請求項１７】
第１の表示手段が、長手端縁の１つに、つまみを有していることを特徴とする請求項１６に記載のケース。
【請求項１８】
薬剤パックが、２４の容器を有していることを特徴とする請求項１から１７のいずれか１項に記載のケース。
【請求項１９】
ケースが、薬剤パックを有していることを特徴とする請求項１から１８のいずれか１項に記載のケース。
【請求項２０】
避妊またはホルモン補充治療用の薬剤を有する薬剤パックを収容するための、請求項１−１９のいずれか１項に記載のケースの使用。
【国際調査報告】
2009507724.tif 000007
2009507724.tif 000008
2009507724.tif 000009
2009507724.tif 000010